(57)【要約】      （修正有）【課題】家庭と本山をインターネットで結ぶ事により、臨場感に溢れた墓参を実現する通信墓参システム装置を提供する。【解決手段】各家庭には遺影額に通信機能を持たせて仏壇代わりに置く一方、位牌に通信機能を持たせて本山に設置して墓石又は墓地としての機能を持たせ、本山をホストサーバー３０としてインターネット回線を通じて両者を接続することにより、臨場感のある通信墓参を実現する。遺影を表示し、本山からの読経データを受けるタブレット型端末からなる遺影端末２０を各家庭の仏壇とする一方、戒名等が表示されるタブレット型端末を組み込み、デジタル画像及び音声を通信する位牌端末１−１等を本山祭壇に設置して墓石とし、本山をホストサーバーとして前記遺影端末と位牌端末を相互通信接続し、在宅で遺影額の通信機能を用いて本山墓地に通信墓参を可能とする。【選択図】図１
0003166054.tif 000002
【実用新案登録請求の範囲】
【請求項１】
遺影を表示し、本山からの読経データを受信可能なタブレット型端末からなる遺影端末を各家庭の仏壇とする一方、戒名等が表示されるタブレット型端末を組み込み、デジタル画像及び音声を通信可能とする位牌端末を本山祭壇に設置して墓石とし、本山をホストサーバーとして前記遺影端末と位牌端末を通信接続し、在宅で遺影端末の通信機能を用いて本山墓地に通信墓参を可能としたことを特徴とする通信墓参システム装置の組合せ。
【請求項２】
前記遺影端末が通信墓参希望者の読経音声を本山又は位牌端末に送信する機能を有するタブレット型端末である請求項１記載の通信墓参システム装置の組合せ。
【請求項３】
前記位牌端末が正面にタブレット型端末を備え、その液晶画面に戒名及び遺影等の必要な画像を表示することができるとともに、その下方に納骨箱を備え、底部には電源接続端子を備え、本山祭壇電源に差し込み接続可能で、暗証番号を入力せず接続切断するとき防犯ブザー等の防犯機能が作動するように構成されている請求項１記載の通信墓参システム装置の組合せ。
【考案の詳細な説明】
【技術分野】
【０００１】
本考案は、新規な通信墓参システムの組み合わせ、特に通信可能なインターネット端末を組み込んだ遺影額を仏壇とする一方、携帯端末機能を備えた位牌を本山に設置して墓石または墓地とし、両者を本山サーバーを介して接続し、在宅において臨場感あふれた墓参が可能な通信墓参システム装置の組合せに関する。
【背景技術】
【０００２】
従来において既存の仏壇は、住宅内において少なからぬ空間を占有するだけでなく、近年、西洋化が進んだ我が国の住宅事情に合わない実情にあって、改良が求められる。そこで、インターネット端末とそれを収納する収納体をもって、従来の仏壇の機能を代替するものシステムが提案される（特許文献１）。
【０００３】
他方、インターネット等の通信網を利用して仮想寺院に墓参りを行う墓参りシステムも提案されている（特許文献２および３）。しかしながら、先祖の供養を行うために墓地を設け、その墓石を設ける墓地又は寺院に墓参りに行くという習慣は日本人の心情としてこれを避けることはできない。そこで、墓地までの距離が遠い場合や墓参りする者が高齢な場合など、支障があって自力での墓参りができない場合には通信回線を使って墓参することができるように、インターネットを介して在宅で墓参りをするという方法が示されている（特許文献４及び５）
【先行技術文献】
【特許文献】
【０００４】
【特許文献１】特開２００２−３１５６６７号公報
【特許文献２】特開２００２−９９６４１号公報
【特許文献３】特許公開２００３−３３１０７４号公報
【特許文献４】特開２００１−２９７１６１号公報
【特許文献５】特開２００１−３２５３８０号公報
【考案の開示】
【考案が解決しようとする課題】
【０００５】
しかしながら、従来のインターネットを介して墓参するシステムは実際の墓参とはかけ離れて墓参の臨場感がなく、近代化され過ぎて心が満たされない。その一つは空間的・機能的に仏壇を改良することは、仏壇固有の課題のみならず、墓地または墓石を仮想化することは臨場感に欠けるだけでなく、日本古来の信仰習慣を継承維持する意味においても重要な課題である。そこでこれを改良して臨場感に溢れた通信墓参システムのための組合せを提供することを課題とする。
【課題を解決するための手段】
【０００６】
上記目的を達成するための考案は、遺影は仏壇のない家庭でも机上または壁掛けにされる習慣がある一方、位牌は本山に設置すると、墓地又は墓石としての機能を備えることに着目してなされたもので、各家庭には遺影額に通信機能を持たせて仏壇代わりに置く一方、位牌に通信機能を持たせて本山に設置して墓石又は墓地としての機能を持たせ、本山をホストサーバーとしてインターネット回線を通じて両者を接続することにより、臨場感のある通信墓参を実現しようとするもので、その要旨とするところは、遺影を表示し、本山からの読経データを受けるタブレット型端末からなる遺影端末を各家庭の仏壇とする一方、戒名等が表示されるタブレット型端末を組み込み、デジタル画像及び音声を通信する位牌端末を本山祭壇に設置して墓石とし、本山をホストサーバーとして前記遺影端末と位牌端末を相互通信接続し、在宅で遺影額の通信機能を用いて本山墓地に通信墓参を可能としたことを特徴とする通信墓参システム装置の組合せにある。
【考案の効果】
【０００７】
本考案によれば、遺影だけでは仏壇の役目を果たすには十分でないが、これを本山からの読経を受信できるようにすることにより本来の仏壇としての機能を持たせ、好ましくは遺影端末から通信で読経音声を送信することにより通信参加を可能とし、さらに臨場感を演出することができる。しかも、遺影端末はブロマイドを飾る感覚で机上に置き、又は壁掛けとすることができるので、場所を取らず、近代的な部屋にマッチした故人礼拝システムを提供できる。また、近年墓石や墓地の購入はコストがかかり、その管理も大変であるが、位牌端末を本山祭壇等に設置し、本山仏像とともに管理することにより墓地としての価値を持たせることができ、遺影端末からの読経を直接位牌端末に送ることにより通信墓参が可能となる。更に、本山はホストサーバーとしての機能を持つことにより各法要時には墓地又は各家庭に訪問せずとも読経音声を阿弥陀如来の画像とともに本山設置の位牌端末と各家庭の遺影額とを接続し、本山から読経および画像データを配信することができるので、法要時に実際の墓参と変わらぬ臨場感溢れる法要を通信システムで実現することができる。
【図面の簡単な説明】
【０００８】
【図１】本考案にかかる通信墓参システム装置の組合せを示す概念図である。
【図２】本実施例における位牌端末１の機能ブロック図を示す。
【考案を実施するための形態】
【０００９】
本考案にかかる通信墓参システム装置の組合せは、遺影を表示し、本山からの読経を受信可能なタブレット型端末を組み込んだ遺影端末２０と、戒名等が表示されるタブレット型端末を位牌に組み込み、デジタル画像及び音声を通信する端末である、本山に設置される位牌端末１と、本山ホストサーバー３０とからなり、図１に示すネットワーク構成で接続されている。遺影端末２０としては例えば、大画面タブレット型端末、例えばアップル社製ｉＰａｄにより構成することができ、位牌端末としては例えば、小画面タブレット型端末、例えばアップル社製ｉＰｏｄを組み込んで構成することができる。
なお、遺影端末２０は安価な装置とするために受信のみとしたが、遺影端末側から本山等に読経音声を送信する機能を持たせるようにすることはできる。多数の位牌端末１は本山祭壇に設けられた区分室に収納され、本山ホストサーバー３０とは無線又は有線回線網４０を介して適時に接続し、相互にデータ通信を行う。本山ホストサーバー３０は、電話回線網４０を介して位牌端末１と直接接続してデータ通信する機能に加え、インターネット５０にも接続して不特定多数の遺影端末２０とＴＣＰ/ＩＰ通信を行う。
【００１０】
本山ホストサーバー３０は、大規模なデータベースを付帯した仏壇端末システムであり、多数の物故者についての物故者データをデータベースに蓄積している。物故者データは、僧侶読経の起源となるＭＩＤＩ形式のデータと、僧侶読経に同期した経文画像の起源となる経文データとを含んでいる。本山ホストサーバー３０は、新物故者の追加などに対応して、適宜な物故者データをデータベースより取り出して位牌端末１又は遺影端末２０に配信する。また、この実施例の本山ホストサーバー３０は、Ｗｅｂサーバーとして機能するための各種ソフトウエアが実装され、データベースにはＨＴＭＬ文書やその文書中に挿入される画像/音声などＷｅｂページを構成するＷｅｂコンテンツを多数格納している。そして、本考案のシステムによって提供される画像データおよび読経データはこのＷｅｂコンテンツの一つであり、インターネット５０を介してアクセスしてきたパーソナル遺影端末３０のブラウザに対して指定の画像データおよび読経データを送付する画像データおよび読経データ閲覧サービスを提供する。
【００１１】
しかも、本考案のデジタル画像提供システムによれば、本山通信システムを利用して、位牌端末にて撮影されたデジタル画像を本山ホストサーバーを介してインターネット上に展示する際に、その画像データおよび読経データへのアクセス権限を墓参者やその墓参者が許可した通信墓参希望者にのみ与えることができる。
【００１２】
図２は本実施例における位牌端末１の機能ブロック図を示している。位牌端末１は、図１に示すように、正面中央にタブレット型端末１−１を組み込み、その下方に納骨箱１−２を備え、底部には電源接続端子１−３が形成されているが、タブレット型端末１−１内部にはＣＰＵ・ＲＡＭ・ＲＯＭを含んで位牌端末本体を構成する中央制御部２が、周辺構成要素を制御して位牌端末を統括している。
【００１３】
中央制御部２は、モデムなどの通信インタフェース１５を制御して電話回線網を介して本山ホストサーバー３０と接続し、このホスト装置３０から配信された物故者データをハードディスク装置１３に格納する。そして、墓参者がリモコン送信器１５などのユーザインタフェースを介して入力した物故者番号を受け付け、その番号に対応付けされている物故者データをハードディスク装置３より取りだして処理する。物故者データ中のＭＩＤＩデータはシンセサイザ８に転送されて僧侶読経に生成される。僧侶読経の音声信号は、マイクロホン１１から入力された墓参者の音声信号とともにミキシングアンプ９に入力され、ここで混合・増幅されてスピーカ１０より僧侶読経と墓参者読経との混合音声として音響出力される。
【００１４】
また、中央制御部２は、物故者データ中の経文描出データを処理して、僧侶読経に同期した経文画像をビデオＲＡＭ１２にビットマップ展開する。映像処理部１３は、このビットマップ画像を映像信号に変換してディスプレイ１４に表示出力する。
【００１５】
位牌端末１は、上述の基本機能に加え、本考案によって画像データおよび読経データを通信墓参希望者に提供するために、墓参者が撮影操作できるデジタルカメラ１７を装備し、そのデジタルカメラ１７にて記録された画像データおよび読経データおよび読経データを本山ホストサーバー３０に送信するとともに、画像データおよび読経データの提供者を限定するためのアクセスコードを設定するための画像データおよび読経データ処理機能を備えている。
【００１６】
この実施例において、デジタル記録装置１７と位牌端末１の本体とは、ＵＳＢなど適宜な規格のインタフェース１６によって接続されており、中央制御部２は、このインタフェース１６を介してデジタル記録装置１７と制御信号や画像データおよび読経データをやりとりする。
【００１７】
この実施例の位牌端末１は、通信墓参者の指定と同様にして所定の物故者番号を入力すると画像データおよび読経データ作成機能が起動するように構成されている。すなわち、中央制御部２は、所定の物故者番号がユーザインタフェース５，６を介して入力されると、ハードディスク装置３に格納されている所定のプログラムをＲＡＭに展開して画像データおよび読経データ処理機能を起動する。
【００１８】
中央制御部２は、画像データおよび読経データ作成機能を起動すると、デジタル記録装置１７を制御し、通信による墓参操作を受け付け可能とする。また、ビデオＲＡＭ１２にこのデジタル記録装置１７の操作方法を含む位牌端末の各種操作方法を案内するための画像を逐次生成し、対話形式によるユーザインタフェースによって画像データおよび読経データの作成手順を通信墓参者に提示する。
【００１９】
墓参者がデジタル記録装置１７にて適当な被写体を撮影すると、ＪＰＥＧ形式などの適宜な画像データおよび読経データを作成して位牌端末１に転送する。
【００２０】
中央制御部２は、インタフェース１６を介して順次転送されてくる画像データおよび読経データをＲＡＭなどに一時記憶していく。そして、画像データおよび読経データをインターネット上に展示する旨の指示を入力すると、中央制御部２は、アクセスコードの設定入力を促す画面をディスプレイ１４に表示させる。この例では、アクセスコードは、ＩＤとパスワードの対によって構成され、墓参者によって任意に設定できるようになっている。墓参者は、リモコン送信器５などのテンキーを使用してアクセスコードを適宜に設定し、これを位牌端末１に転送する。中央制御部２は、このアクセスコードを受け取ると、ＲＡＭに一時格納されている画像データおよび読経データをハードディスク装置３に転記するとともに、この画像データおよび読経データに受け取ったアクセスコードを対応付けする。この例では、画像データおよび読経データのファイル名とアクセスコードとの対応表がハードディスク装置３に格納されており、画像データおよび読経データとアクセスコードとの対応関係が新規に生成されると、この対応表にその対応関係を追記することとしている。もちろん、画像データおよび読経データとアクセスコードとを対応付けする方式は、この例に限るものではない。たとえば、画像部分のデータとアクセスコードとを含んだ形式の画像データおよび読経データに変換し、専用の復号ソフトウエアによってのみ画像データおよび読経データからアクセスコードを分離・復号できるようにしておくなど、適宜な方式が採用できる。
【００２１】
位牌端末１は、物故者データのダウンロード時や稼働状況のアップロード時など、本山ホストサーバー２０との適宜な通信の機会にハードディスク装置３に蓄積されている画像データおよび読経データとアクセスコードの対応表とを本山ホストサーバー２０に転送する。本山ホストサーバー２０は、多数の他の位牌端末１から送付されたアクセスコードの対応表を統合して一元管理しており、ある位牌端末１から転送されてきた画像データおよび読経データを付帯するデータベースに格納するとともに、この位牌端末１から送付された対応表の記載内容を前記統合対応表に追記する。送付された対応表中のアクセスコードがすでに統合対応表に存在する場合は、そのアクセスコードに新規に送付された画像データおよび読経データを対応付けする。
【００２２】
この実施例では、墓参者にはＷｅｂサーバーから画像データおよび読経データを直接取り寄せるためのＵＲＬは通知されない。Ｗｅｂサーバーが提供する画像データおよび読経データ閲覧サービスへの窓口となる「ホームページ」など、一般に公開されているＷｅｂページのＵＲＬ（窓口ＵＲＬ）のみが通知される。窓口ＵＲＬの通知については、位牌端末にて画像データおよび読経データを作成する際に端末のディスプレイに表示したり、各家庭の仏壇端末に掲示したりすればよい。
【００２３】
墓参者は、設定したアクセスコードと窓口ＵＲＬとを画像データおよび読経データを閲覧したい他の通信墓参希望者に適宜な方法で事前に通知しておく。これら通信墓参希望者は、自身のパーソナル仏壇端末３０などブラウザ機能を備えた情報処理機器を操作し、窓口ＵＲＬを指定したＨＴＴＰリクエストをインターネットに送出する。
【００２４】
Ｗｅｂサーバーが提供する画像データおよび読経データ閲覧サービスの処理手順をブラウザに表示される。Ｗｅｂサーバーは、前記ＨＴＴＰリクエストに応答して、窓口ＵＲＬに該当するＷｅｂページをブラウザに返送する（Ａ）。この例における窓口ＵＲＬのＷｅｂページにはアクセスコードを記入するためのフォームが含まれており、通信墓参希望者は通知されたアクセスコードをフォームに入力して、これを返送する。この返送先は、フォームに記入したアクセスコードを引数としてＷｅｂサーバーが実装する所定のＣＧＩを起動するためのＵＲＬが対応している。
【００２５】
ＣＧＩは、アクセスコードを受け取ると、このコードを統合対応表中のコードと照合し、一致するコードを見いだすと、対応の画像データおよび読経データの格納場所を特定する。そして、その格納場所から画像データおよび読経データを取り寄せるためのＵＲＬを生成し、そのＵＲＬをハイパーリンクとして一覧にしたＨＴＭＬ文書を作成し、このＨＴＭＬ文書をブラウザに返送する（Ｂ）。もちろん、このハイパーリンクの一覧を含んだＨＴＭＬ文書を位牌端末から画像データおよび読経データと前記対応表とが送付された時点で事前に作成しておき、このＨＴＭＬ文書のＵＲＬとアクセスコードとの対応関係を先の統合対応表に記載しておいてもよい。そして、ブラウザにて一覧中のあるハイパーリンクが指示されると、該当の画像データおよび読経データが送達されてブラウザの画面に表示される（Ｃ）。
【００２６】
上記実施例では、アクセスコードは墓参者が任意に設定していたが、位牌端末側で自動生成することもできる。そして、生成したアクセスコードをディスプレイに表示して通知すればよい。仏壇端末にプリンタを接続するなどして印刷出力することも容易である。
【００２７】
また、アクセスコードはＩＤやパスワードなどの認証情報に限らず、ＵＲＬ自体であってもよい。そして、そのＵＲＬによって特定されるＷｅｂコンテンツとして、上記実施例における画像データおよび読経データへのハイパーリンクが一覧となったＷｅｂページを対応付けすればよい。ＵＲＬは一般に公開されなければ、画像データおよび読経データには実質的にそのＵＲＬを知り得る墓参者にのみ提供されることになる。
【００２８】
上記実施例では、本山ホストサーバーにＷｅｂサーバー機能を実装し、そのＷｅｂサーバーが画像データおよび読経データを含んだＷｅｂコンテンツを管理していた。もちろん、インターネット上にある外部のＷｅｂサーバーに画像データおよび読経データがあってもよい。この場合、上記実施例の本山ホストサーバーが提供している画像データおよび読経データ閲覧サービスのＷｅｂサイト自体が外部のＷｅｂサーバーにあることになる。したがって、本山ホストサーバーは、位牌端末から新規の画像データおよび読経データと対応表とを受け取ると、一般のホームページ作成者が自身が管理するＷｅｂサイトを更新するのと同様にして、該当するＷｅｂサイトの内容を適宜に更新する処理を実行することになる。
【００２９】
本考案の通信墓参システム装置によれば、既存の本山通信システムを活用して、墓参者による位牌画像データおよび読経データをインターネットに展示し、画像データおよび読経データへアクセスするためのアクセスコードを設定することで、画像データおよび読経データには許可された通信墓参希望者にのみ提供されることになりプライバシーも保護される。
【００３０】
画像データおよび読経データを作成するためのデジタル記録装置は位牌端末に装備されているため、法要記録として画像データおよび読経データを作成することができる。また本山通信システムにおける通常の本山ホストサーバーと位牌端末とのデータ通信と同様にして画像データおよび読経データが本山ホストサーバーに転送され、この本山ホストサーバーを介して画像データおよび読経データがＷｅｂサーバー上に展示される。そのため、通信墓参者も簡単に画像データおよび読経データをＷｅｂサーバー上に展示して墓参に参加することができる。ユーザー登録画面では、まず本人の所定の個人情報（住所、氏名、年齢、生年月日、電話番号、メールアドレス等）を入力する。そして受けたいサービス内容（墓参り、自分史、家系図、戒名等）を選択する。また既に先祖、親類がこのサービスを利用している場合はすでに発行されている家系番号を入力する。
【符号の説明】
【００３１】
１  位牌端末  
２０  遺影端末
３０  本山ホストサーバー
４０  電話回線網
５０  インターネット
【図１】
0003166054.tif 000003
【図２】
0003166054.tif 000004